(57)【要約】無煙パイプは、ボウル（１）と、シャンク（２）と、ビット（４）を有するステム（３）と、パイプ内部の煙道（５）と、を備える。煙道は、ニコチン含有剤や着香剤（１０）のキャリアを配置するために、および、電源（８）に接続された加熱ユニット（７）を配置するために使用される。本発明によると、加熱ユニットの構成要素（７）のうちの少なくとも１つがステム（３）の中に配置され、その位置はビット（４）へとずらされている。本発明により、喫煙プロセスを完全にシミュレーションしながら、パイプ喫煙者の健康の維持が確保される。
2011518638.tif 000002
【特許請求の範囲】
【請求項１】
ボウル（１）と、シャンク（２）と、ビット（４）を有するステム（３）と、前記パイプ内部の煙道（５）と、を備える無煙パイプであって、
前記煙道が、ニコチン含有剤または着香剤のキャリア（６）と、電源（８）に接続された加熱ユニット（７）と、を配置するために使用され、
前記加熱ユニットの少なくとも１つの構成要素（７）が、前記ステム（３）の中に配置されると共に、前記ビット（４）へとずらされている無煙パイプ。
【請求項２】
前記ボウル（１）の上部（１２）が回転可能に構成されると共にモード選択スイッチ（１７）と組み合わされていることを特徴とする、請求項１に記載のパイプ。
【請求項３】
前記モード選択スイッチ（１７）が、前記ボウル（１）の回転部分と固定部分との接触面に適用される接点セットの形態で形成されることを特徴とする、請求項２に記載のパイプ。
【請求項４】
前記加熱ユニット（７）が、前記モード選択スイッチ（１７）を介して前記電源（８）に接続されることを特徴とする、請求項２に記載のパイプ。
【請求項５】
前記加熱ユニット（７）が、１つまたは複数の抵抗素子（７）の形態で形成されることを特徴とする、請求項１または２に記載のパイプ。
【請求項６】
前記加熱ユニットが、前記煙道の内部に配置されることを特徴とする、請求項１または２に記載のパイプ。
【請求項７】
前記加熱ユニット（７）が、前記ステム（３）の壁に配置されることを特徴とする、請求項１または２に記載のパイプ。
【請求項８】
前記加熱ユニットの構成要素（７）が、前記シャンク（２）および／または前記ボウル（１）の内部に配置されることを特徴とする、請求項１または２に記載のパイプ。
【請求項９】
ニコチン含有剤または着香剤のキャリア（６）が、前記シャンク（２）と前記ビット（４）との間にある前記ステム（３）の空洞内に配置されることを特徴とする、請求項１に記載のパイプ。
【請求項１０】
ニコチン含有剤または着香剤のキャリア（６）が、前記シャンク（２）または前記ボウル（１）の内部に配置されることを特徴とする、請求項１に記載のパイプ。
【請求項１１】
ニコチン含有剤または着香剤のキャリア（６）が、ニコチン含有剤または着香剤の溶液で飽和した吸湿性材料（１０）の形態で形成されることを特徴とする、請求項１に記載のパイプ。
【請求項１２】
ニコチン含有剤または着香剤のキャリア（６）が、両基端部が膜（９）で覆われ封止された円筒状に形成され、前記キャリアの内側空間にはニコチン含有剤または着香剤の溶液で飽和した吸湿性材料（１０）が充填され、前記パイプ内に前記キャリアを配置するための空洞に円筒開封要素（１１）が設けられることを特徴とする、請求項１に記載のパイプ。
【請求項１３】
ニコチン含有剤または着香剤のキャリア（６）が、両基端部が膜（９）で覆われ封止された円筒状に形成され、ニコチン含有剤または着香流体（１０ａ）と、半透過性かつ撥水性の壁（９ａ）と、を有するリザーバを備え、前記パイプ内に前記キャリアを配置するための空洞に円筒開封要素（１１）が設けられることを特徴とする、請求項１に記載のパイプ。
【請求項１４】
ニコチン含有剤または着香剤のキャリア（６）が、前記ステム（３）と前記シャンク（２）との間の空洞に配置されることを特徴とする、請求項１に記載のパイプ。
【請求項１５】
電源（８）が、前記ボウル（１）の壁または基端部に作られた空洞（１３）に配置されることを特徴とする、請求項１に記載のパイプ。
【請求項１６】
電源（８）が、使い捨てまたは充電式のバッテリの形態で形成されることを特徴とする、請求項１に記載のパイプ。
【請求項１７】
バッテリ充電インジケータを備えることを特徴とする、請求項１６に記載のパイプ。
【請求項１８】
前記煙道（５）が、前記ボウル（１）と、前記シャンク（２）と、前記ビット（４）を有するステム（３）と、を互いに接続することを特徴とする、請求項１に記載のパイプ。
【請求項１９】
前記煙道（５）が、前記シャンク（２）と、前記ビット（４）を有するステム（３）と、を接続することを特徴とする、請求項１に記載のパイプ。
【請求項２０】
前記パイプ内部の前記煙道（５）が、大気へと接続するための追加の煙道（１９）を備えることを特徴とする、請求項１８または１９に記載のパイプ。
【請求項２１】
前記大気への追加の煙道（１９）の出口が、持ち運び可能な、または可動式のカバー（２０）を備えることを特徴とする、請求項２０に記載のパイプ。
【請求項２２】
ニコチン含有剤または着香剤のキャリア（６）が、前記追加の煙道（１９）の入口と前記ステムのビット（４）との間に配置されることを特徴とする、請求項２０に記載のパイプ。
【請求項２３】
モード選択スイッチ（１７）を介して前記電源（８）に接続されると共に前記ボウル（１）の内部に配置されたタバコの燃焼シミュレーション要素を備えることを特徴とする、請求項２に記載のパイプ。
【請求項２４】
タバコの燃焼シミュレーション要素が、モード選択スイッチ（１７）を介して前記電源（８）に接続されると共に前記ボウル（１）の内部にその周に沿って固定されるネオン管の形態で形成されることを特徴とする、請求項２３に記載のパイプ。
【請求項２５】
タバコの燃焼シミュレーション要素が、発光ダイオード（１６）を有する黒みがかったすりガラスまたは透明なガラス（１５）の形態で形成され、前記発光ダイオード（１６）は、前記ボウル（１）内の前記ガラスの下に配置されると共にモード選択スイッチ（１７）を介して前記電源（８）に接続されることを特徴とする、請求項２３に記載のパイプ。
【請求項２６】
発光ダイオード（１６）が、量および切り換え順序を変更可能に前記電源（８）に接続されることを特徴とする、請求項２５に記載のパイプ。
【請求項２７】
動いている煙の流れを表示する可視化要素（１８）を備え、前記可視化要素（１８）が、モード選択スイッチ（１７）を介して前記電源（８）に接続され、前記ボウル（１）の外側および／または内側に使用者に面して配置されることを特徴とする、請求項２に記載のパイプ。
【請求項２８】
パイプが、モード選択スイッチ（１７）を介して前記電源（８）に接続された音源（１４）を備えることを特徴とする、請求項２に記載のパイプ。
【請求項２９】
モード選択スイッチ（１７）を介して前記電源（８）に接続された空気移動センサ（２１）が、前記煙道（５）内に配置されることを特徴とする、請求項２に記載のパイプ。
【請求項３０】
予め設定された期間後に、または予め設定された回数、前記ボウル（１）から前記ビット（４）へと空気が前記煙道（５）を通り抜けた後に、電源を動作停止させる要素を備えることを特徴とする、請求項１に記載のパイプ。
【発明の詳細な説明】
【技術分野】
【０００１】
本発明は、薬剤および医療機器に関し、禁煙に役立つ手段として使用される。これは、完全な喫煙が不可能な場合、例えば喫煙が禁止されている飛行機の機上や公共の場所などの状況で使用することができる。さらに、ここで提案する装置を用いると、タバコを燃焼させることなく、且つこれに付随する喫煙者及びその周囲の人々にとって有害な煙とＣＯ、アセトン、ヒ素、ベンゾピレン、タールなどの燃焼物質の排出を伴うことなく、喫煙者のニコチン要求を満たすことが可能になる。
【背景技術】
【０００２】
既知の装置は紙巻きタバコの形態で形成される（特許文献１）。既知の装置は円筒形のチャンバを備え、このチャンバは、喫煙パイプの芳香に似た一定の芳香物質を有する香料がコーティングされた、引掻解放可能（scratch−releasable）な挿入物（insert）を含んでいる。このチャンバの内部には可動ブラシが配置され、その毛によって上記挿入物を引っ掻いている間、芳香の放出が誘発される。
【０００３】
上記した既知の装置の欠点は、喫煙シミュレーションが不完全であることと、扱いにくいことである。ブラシの握り出口をフィルタを貫通させて作り、「喫煙者の」口の内部に配置すると同時に、燃焼するタバコの芳香を得るためにはそのブラシをチャンバ内部で絶えず動かす必要がある。さらに、喫煙を完全にシミュレーションするには、少なくとも最小限のニコチンを生体へ導入することが不可欠であり、そうでなければ心理的かつ／または生理的に一定の不快感が生じる可能性があるが、使用者が吸入するのは燃焼するタバコの芳香だけである。
【０００４】
円筒形の本体に連結されたプラスチック製のマウスピースの形態で形成された既知の喫煙装置があり、使用者はこれを介して空気を吸入できる（特許文献２）。この本体の内部には、ニコチン含有物質で飽和した多孔性のポリマー材料を含んだ密封カプセル（カートリッジ）を配置するように作られた空洞がある。このようなニコチン含有物質としては、液体ニコチンまたはニコチン、メントールおよびエタノールの混合物を使用することができる。上記本体は、カプセルを開封するための要素を備える。
【０００５】
この既知の装置の欠点は、喫煙シミュレーションが不完全であることである。詳細には、喫煙に付随する光と音の効果が欠落していることである。
【０００６】
喫煙シミュレーション装置（特許文献３）は、紙巻きタバコの形態で形成されており、中空の円筒形の本体を有する。一方の端にはフィルタが配置され、もう一方の端には電源に接続された電球があり、この電球は本体の内部に配置される。上記フィルタの前には様々な芳香混合物が配置されており、それを通過して、使用者が吸入する空気がでてくる。さらに、上記本体の内部には、磁石、導電性プレート、および「喫煙」音シミュレーション（バックグラウンド・ミュージック）用の集積モジュールがある。
【０００７】
喫煙者は、ａ）フィルタなしのロシア式タバコ（papirosa）、ｂ）葉巻、ｃ）紙巻きタバコ、ｄ）喫煙パイプ、を喫煙に用いる複数のカテゴリに分類されることが知られているが、上記既知の装置の欠点は、パイプによる喫煙シミュレーションができないことである。つまり、喫煙を非常によくシミュレーションするこの既知の技術的解決策は、喫煙パイプの使用に慣れた喫煙者を満足させることができない。
【先行技術文献】
【特許文献】
【０００８】
【特許文献１】米国特許公開第２００４００３８０号
【特許文献２】ロシア特許第２０６７８７６号
【特許文献３】米国特許第６８５４４７０号
【発明の概要】
【発明が解決しようとする課題】
【０００９】
特許請求の範囲に記載の本発明は、喫煙者によるパイプの使用に基づいた正確な喫煙シミュレーションのために表される。
【課題を解決するための手段】
【００１０】
無煙パイプが、ボウルと、シャンクと、ビットを有するステム（stem，柄）と、パイプ内部の煙道と、を備え、上記煙道が、ニコチン含有剤または着香剤のキャリアと、電源に接続された加熱ユニットと、を配置するために使用され、上記加熱ユニットの少なくとも１つの構成要素が、上記ステムの中に配置されると共に、上記ビットへとずらされていることによって、特定の効果が得られる。
【００１１】
上記パイプのボウルの上部が回転可能に形成されており、モード選択スイッチと組み合わせられていると好ましい。
【００１２】
上記モード選択スイッチは、上記ボウルの回転部分と固定部分の接触面に適用される接点セットの形態で形成される。
【００１３】
上記加熱ユニットは、基本的に、上記モード選択スイッチを介して上記電源に接続される。
【００１４】
上記加熱ユニットは、１つまたは複数の抵抗素子の形態で形成されてもよい。
【００１５】
上記加熱ユニットは、上記煙道の内部または上記ステムの壁に配置されてもよい。
【００１６】
上記加熱ユニットは、上記ボウルおよび／または上記シャンクの内部に位置する抵抗素子を備えていてもよい。
【００１７】
ニコチン含有剤または着香剤のキャリアは、基本的に、上記シャンクと上記ビットとの間にある上記ステムの空洞内に配置される。
【００１８】
ニコチン含有剤および／または着香剤のキャリアは、ニコチン含有剤および／または着香剤の溶液で飽和した吸湿性材料の形態で形成されることができる。
【００１９】
ニコチン含有剤または着香剤のキャリアは、両基端部が膜で覆われ封止された円筒状に形成されてもよい。その内側空間はニコチン含有剤および／または着香剤の溶液で飽和した吸湿性材料で充填され、上記円筒を配置するための空洞には上記円筒の開封手段が設けられると好ましい。
【００２０】
さらに、ニコチン含有剤および／または着香剤のキャリアは、両基端部が膜で覆われ封止された円筒状に形成されてもよい。キャリアの内部には、ニコチン含有剤および／または着香流体が中に入っている半透過性かつ撥水性の壁を備えたリザーバがある。
【００２１】
ニコチン含有剤および／または着香剤のキャリアは、上記シャンクまたは上記ボウルの空洞、あるいは上記ステムと上記シャンクの間の空洞に配置されてもよい。
【００２２】
電源は、上記ボウルの壁または底部（bottom）に作られた空洞に配置されると好ましい。
【００２３】
さらに、電源は、使い捨てまたは充電式のバッテリの形態で形成される。
【００２４】
上記パイプがバッテリ充電インジケータを備えると好ましい。
【００２５】
上記煙道は、上記ボウルと上記シャンクと上記ビットを有するステムを互いに接続するか、または上記シャンクと上記ビットを有するステムを互いに接続する。
【００２６】
上記パイプ内部の上記煙道は、大気へ接続するための追加の煙道を備える。
【００２７】
さらに、上記大気への煙道の出口は、持ち運び可能な、または可動式のカバーを備える。
【００２８】
ニコチン含有剤および／または着香剤のキャリアが、上記追加の煙道への入口と上記ステムのビットとの間に位置すると好ましい。
【００２９】
上記パイプは、基本的に、モード選択スイッチを介して上記電源に接続された、上記ボウルの内部に位置するタバコの燃焼シミュレーション要素を備える。
【００３０】
また、タバコの燃焼シミュレーション要素は、モード選択スイッチを介して上記電源に接続されると共に、上記ボウルの内部にその周に沿って固定されているネオン管の形態で形成される。または、タバコの燃焼シミュレーション要素は、黒色のすりガラスまたは透明なガラスの形態で形成される。上記ボウル内のその上記ガラスの下には発光ダイオードが配置されており、発光ダイオードはモード選択スイッチを介して上記電源に接続される。
【００３１】
発光ダイオードは電源に接続されていてもよく、その数量および作動順序を任意に変更可能である。
【００３２】
上記パイプは、動いている煙の流れを表示する可視化要素を備えていてもよい。可視化要素は、モード選択スイッチを介して上記電源に接続され、上記ボウルの外側および／または内側に使用者に面して配置される。
【００３３】
さらに、上記パイプは、モード選択スイッチを介して上記電源に接続された音源を備えていてよい。
【００３４】
モード選択スイッチを介して上記電源に接続された空気移動センサは、上記煙道内に配置されると好ましい。
【００３５】
さらに、上記パイプは、事前設定された期間後に、または空気が上記煙道を上記ボウルから上記ビットへ通り抜ける事前設定された回数後に、電源をオフにできる電源動作停止要素を備えていてもよい。
【００３６】
ボウルと、シャンクと、ビットを有するステムと、パイプ内部の煙道と、により構成された上記無煙パイプを用いると、喫煙者が喫煙のために使用するパイプを最も正確に模擬することが可能になる。さらに、上記パイプは、一体化（solid）するように形成し、構成部品から単一体を形成してそれぞれ分離できなくすることができる。または、既知の固定／連結部品を使用してボウルとシャンクとステムを１つの実装体として互いに接合する場合には、上記パイプを持ち運び可能に形成することもできる。
【００３７】
ニコチン含有剤および／または着香剤のキャリアを煙道内に配置することにより、完全な喫煙時にはパイプのボウル内においてタバコを燃焼させることをやめ、上記キャリア内に含まれている物質の蒸気で代用することが可能になる。本発明の実施の最も一般的な事例では、押しボタン、レバーまたはセンサ・スイッチを使用して、電源が加熱ユニットに接続可能である。
【００３８】
最も好ましい任意選択形態では、パイプは、使用者の必要性に応じて、タバコの燃焼シミュレーション要素、音源または動いている煙の流れの可視化要素を電源に接続できるモード選択スイッチを備える。このモード選択スイッチは、ボウルの回転可能な部分と固定部分の接触面に適用される、順に閉じる接点セットの形態で形成されてもよく、または、電力消費部品の制御に必要なソフトウェア要素を含むことができる集積回路として形成されてもよい。
【００３９】
ニコチン含有剤および／または着香剤のキャリアは、ボウル内、シャンク内、シャンクとステムとの間、またはステム自体の内部など、煙道に沿った任意の場所に配置することができる。実験結果によると、ニコチン含有剤および／または着香剤のキャリアがシャンクとビットとの間にあるステムの空洞内に配置される場合に、喫煙シミュレーションが最も完全であると使用者が感じることが示されている。加熱ユニットもまた、煙道内の任意の場所に配置可能である。しかしながら、ステムのビットの近くに配置するのが、使用者の知覚から最も合理的である。加熱ユニットは、１つまたは複数の抵抗素子の形態で形成可能である。一方、特定の実施事例では、加熱ユニットを、煙道内またはステムの壁内に配置してもよい。加熱ユニットを壁内に配置する場合には、その壁を比較的低い電力消費で、より集中的に加熱できるようになるが、この事例では、使用者に達する空気の温度が低下する可能性がある。加熱ユニットを煙道内に配置すると、使用者に達する空気の温度は上昇するが、ステムの壁の温度は低下する。事例によっては、ヒータをステムの壁と煙道の両方に配置すると合理的である。使用者の中には、喫煙シミュレーション中は、ボウルまたはシャンクの温度が周囲温度よりも高いほうが良い者もいるため、ボウルまたはシャンクの本体の内部、またはそこを通る煙道の内部に配置される追加のヒータをパイプに設けると合理的である。
【００４０】
ニコチン含有剤および／または着香剤のキャリアは、各溶液で飽和した多孔性または吸湿性材料の形態で形成することができる。さらに、ニコチン含有剤および／または着香剤のキャリアは、パイプへの配置前に簡単に破ることが可能で取り外し可能な包みの内部に配置することができる。
【００４１】
ニコチン含有剤および／または着香剤のキャリアとしては、両基端部が膜で覆われ封止された円筒を使用することが可能である。この事例では、喫煙者が必要とする時点でニコチン含有剤および／または着香剤を開放できるようにする円筒開封要素を、パイプの空洞に設ける必要がある。
【００４２】
ニコチン含有剤および／または着香剤のキャリアとして、ニコチン含有剤および／または着香溶液が内部に入っている半透過性かつ撥水性の壁を備えたリザーバを有する、両基端部が膜で覆われ封止された円筒を使用することが可能である。この事例では、この円筒を配置するためのパイプの空洞に、円筒の開封要素を設ける必要がある。尚、上記封止膜を破る操作は、円筒への空気通路を開くにすぎない。喫煙者がパイプで「ひとふかし」すると、空気が半透過性かつ撥水性を有する壁（空気通路を遮断せずに流体が流れるのを防止する）を通り抜け、ニコチン含有剤および／または着香剤の蒸気で飽和される。
【００４３】
ステム（ビット）材料および壁の厚さに基づく計算または実験結果に関しての、ヒータ（抵抗素子）のパラメータおよびそのヒータを流れる電流の強度は、使用者にとって最も快適な温度（３６．６〜５０℃の範囲）をもたらすように選択される。
【００４４】
加熱ユニットとニコチン含有剤および／または着香剤のキャリアとの相対位置と、それらの煙道内での配置は、任意に行うことができる。しかしながら、使用者にとって最も完全な喫煙シミュレーションの知覚が得られるのは、上記キャリアがヒータとシャンクの間に位置する場合である。
【００４５】
上記装置を動作させるために、様々な周知の電源を使用することができる。ただし、パイプを携帯用かつ自給式なものにするために、使い捨てまたは充電式のバッテリを電源として使用することが最も合理的である。電源は、その寸法に応じて、パイプの任意の場所に配置することができる。電源は、ボウル内、またはシャンク内、またはステムの中に配置することができる。ただし、一般に、ボウルはより厚い壁を有することから、その内部（壁または底部）に空洞を作って、電源を配置することが最も合理的である。電源の動作中にはかなりの熱が放出されるので、電源をボウルの底部に設ける場合にはボウルの内部にヒータを配置する必要はない。
【００４６】
本発明の特定の実施事例では、パイプをより使い易くするために、バッテリ充電インジケータがパイプに設けると合理的である。例えば携帯電話で使用されているものやバッテリの容量が低下したときに点滅し始める信号灯などの周知のものから、任意のインジケータが選択可能である。タバコの燃焼をシミュレーションする部品の一部分である発光ダイオードの１つを、かかる信号素子として使用してもよい。
【００４７】
喫煙者が喫煙中に煙道断面のサイズを調整でき、ひいてはひとふかし時に達する煙の量を調整できることを考慮にいれると、同様の機能を実行できる構成要素をパイプに設けることが合理的であり、大気とパイプ内部の煙道とを接続する追加の煙道を、かかる構成要素とすることができる。この大気への煙道の出口は、持ち運び可能な、または可動式のカバーを備える。この事例において、喫煙シミュレーション中に、使用者は、パイプ表面における追加の煙道の出口の通過断面を変えることによって、通常の煙道を介して吸い込む空気の量を変えることができる。
【００４８】
本発明の特定の実施事例では、より完全な喫煙シミュレーションを確保するために、タバコの燃焼シミュレーション要素をパイプのボウル内部に配置することができる。このタバコの燃焼シミュレーション要素は、ボウル内部にその周に沿って固定されるネオン管の形態で形成することができる。他の事例では、黒みがかった平坦またはテクスチャのあるすりガラスまたは透明なガラスの形態で形成することができる。ボウル内かつガラスの下には、電源に接続された発光ダイオードが配置される。シミュレーションを実際のものにより近づけるために、発光ダイオードは赤色および／または黄色にすることができる。パイプ内で燃焼するタバコに固有の不均一な燃焼像を作り出すために、発光ダイオードは、その数量と作動の順序が任意に変更可能であるように電源に接続される。この事例では、「ひとふかし」でいくつかの発光ダイオードを作動させさせることができると共に、別の「ひとふかし」で他を作動させることもできる。
【００４９】
燃焼シミュレーション要素は、モード選択スイッチを介して電源に接続される。これにより、使用者は、シミュレーション要素の発光またはその停止に関して想定可能な任意の動作モードを選択することができる。
【００５０】
より完全な喫煙シミュレーションを実現するために、パイプは、動いている煙の流れの像を再現するパネルを備える。これは、ボウルの外側または内側に、使用者に面して配置されると共に、モード選択スイッチを介して電源に接続される。このようなものとして、プラズマパネル、ＬＣＤパネル、または有機ＬＥＤディスプレイを使用することができる。
【００５１】
タバコの燃焼シミュレーション要素と同様に、モード選択スイッチによって上記パネルを作動または動作停止させることができる。
【００５２】
より完全な喫煙シミュレーションのため、パイプは、モード選択スイッチを介して電源に接続された音源をも備える。この音源は、独特の爆ぜる音によってタバコの燃焼をシミュレーションすることができ、または、使用者の好みに応じて、水音、ナイチンゲールのさえずり、お気に入りの音楽などを再生することもできる。
【００５３】
煙道内の任意の場所には空気移動センサが設けられる。この空気移動センサは、空気が煙道を通過したときに、選択した動作モードに応じて加熱ユニット、および／またはタバコの燃焼シミュレーション要素、および／または音、および／または動いている煙の流れを作動させる役割を果たす。この事例では、喫煙者が「ひとふかし」すると、上記の構成要素が様々な組み合わせで作動する。
【００５４】
予め設定された時間後、または予め設定された回数、ボウルからビットへと空気が煙道を通過した後に電源を停止できる構成要素をパイプが備えると、「喫煙」を制限することが可能になる。現実では、パイプのボウル内の全てのタバコが燃え尽きると喫煙は終了する。喫煙者は、煙道を通って達する煙の味の変化によってこのことに気づく。本発明では、パイプ内における味の特性の変化はないか、あっても微々たるものである。したがって、時間または「ひとふかし」の回数によって喫煙シミュレーションを制限することが合理的である。
【図面の簡単な説明】
【００５５】
【図１】パイプの等角投影図である。
【図２】ニコチン含有剤または着香剤のキャリアと、煙道内に配置されたヒータと、を備えるパイプの任意選択形態の縦断面図である。
【図３】ニコチン含有剤または着香剤のキャリアと、ステムの壁に配置されたヒータと、を備えるパイプの任意選択形態の縦断面図である。
【図４】ボウル基端部にある電源と、ステムとシャンクの間の空洞に配置されたニコチン含有剤または着香剤のキャリアと、シャンクの壁およびステムの煙道内に配置されたヒータと、を備えるパイプの任意選択形態の縦断面図である。
【図５】開封要素と、ステムおよびシャンクの間にある空洞内に配置される両基端部が膜で覆われ封止された円筒状に形成されたニコチン含有剤または着香剤のキャリアと、を備えるパイプの部分縦断面図である。
【図６】ニコチン含有剤または着香流体が内部に入っている半透過性かつ撥水性の壁を有するリザーバを備えると共に、封止された円筒状に形成されたニコチン含有剤または着香剤のキャリアの縦断面図である。
【図７】パイプの最も好ましい任意選択形態の縦断面図である。
【発明を実施するための形態】
【００５６】
提案する本発明の本質について、添付の図面を参照して実施例で説明する。
【００５７】
一般に、無煙パイプは、ボウル１と、それに連結されるシャンク２と、シャンクに連結されるビット４を有するステム３と、通常の煙道５と、を備える。このパイプの煙道５内には、ニコチン含有剤や着香剤を含んだキャリア６が設けられ、ステムの内部には電源８に接続された加熱ユニット７がある。
【００５８】
上記パイプは、以下の方法により使用される。キャリア６をパイプの煙道５に配置し、次いで、加熱ユニット７のスイッチ（図示せず）により電源８を作動させる。使用者のその後の手順は、ニコチン含有剤や着香剤のキャリアのタイプに応じて決まる。キャリアが、各溶液で飽和した多孔性または吸湿性の材料の形態で作られ、パイプ内へ配置する前に簡単に破ることが可能または取り外し可能な包みの中に配置されている場合には、使用者は、包みを取り除いた後に、ステム３のビット４を口にくわえ、全体煙道５を介して空気を吸う。キャリアに含まれるニコチン蒸気が、空気と共に使用者の生体へ向かう。キャリアが円筒状に形成されると共に、キャリアの両基端部が膜で覆われることにより封止されて、ニコチン含有剤や着香溶液で飽和した吸湿性材料が内側の空間に充填されている場合には、または、キャリアが円筒状に形成されると共に、キャリアの両基端部が膜で覆われ封止されて、ニコチン含有剤や着香流体が入った半透過性かつ撥水性の壁を備えたリザーバを有する場合は、使用者はまずその円筒を開封する。
【００５９】
最も好ましい任意選択形態では、パイプは、一体式に実装されたシャンク２を有するボウル１と、シャンク２から分離可能であると共にビット４を有するステム３と、通常の煙道５と、を備える。パイプの煙道５には、ニコチン含有剤や着香剤を含んだキャリア６が設けられ、ステムの内部には、ボウル１の基端部にある電源８に接続された加熱ユニット７がある。キャリア６は、中空の円筒形状を有する。キャリアは、両側に位置する膜９によって封止される。キャリア６の内部には、ニコチン剤や着香剤を含有する多孔質材料１０がある。キャリア６に設けられた空洞には開封要素１１が設けられる。他の事例において、キャリア６が、ニコチン含有剤または着香流体１０ａが入っている半透過性かつ撥水性の壁９ａを備えたリザーバを有し、両基端部が膜９で覆われて封止されると共に円筒状に形成されている場合、キャリア６のための空洞にはやはり開封要素１１が設けられる。
【００６０】
ボウル１の上部１２は、回転可能に作られている。ボウルの上部の回転によって、パイプの動作モードを切り換えることができる。
【００６１】
ボウル１の空洞１３内には音源１４が設けられ、また、ボウル１の内部には、黒みがかったすりガラス１５を有するタバコの燃焼シミュレーション要素が設けられる。タバコの燃焼シミュレーション要素は、モード選択スイッチ１７によって電源８に接続される発光ダイオード１６を備える。ボウル１の外側および／または内側には、使用者に面して、動いている煙の流れを表示する可視化要素１８が設けられる。可視化要素１８は、動いている煙の流れを表示するパネルである。かかるパネルとして、プラズマパネル、ＬＣＤパネル、有機ＬＥＤディスプレイなどの任意の周知の表示手段を使用することができる。ボウル１とシャンク２とステム３とを貫く通常の煙道５は、大気へと接続する追加の煙道１９を備える（図７）。煙道１９は、カバー２０を備える。モード選択スイッチ１７に接続された空気移動センサ２１は、煙道５の任意の適当な場所に配置可能である。
【００６２】
予め設定された時間後に、または予め設定された回数、ボウルからビットへと空気が煙道を通過した後に電源を停止できる構成要素をパイプは備える。この停止要素は、モード選択スイッチを動作させる役割を果たす集積回路に含まれる。
【００６３】
想定されるパイプ動作モードは４つある。ボウル１の上部１２が位置「ａ」にセットされた場合、電源８はオフに切り換えられる。
【００６４】
ボウル１の上部１２が位置「ｂ」に切り換えられた場合は、空気が煙道５を通過するときに、加熱ユニット７と、タバコの燃焼シミュレーション要素と、音源１４と、動いている煙の流れの可視化要素１８と、が電源８に接続される。
【００６５】
ボウル１の上部１２が位置「ｃ」に切り換えられた場合は、空気が煙道５を通過するときに、加熱ユニット７と、タバコの燃焼シミュレーション要素と、音源１４と、が電源８に接続される。
【００６６】
ボウル１の上部１２が位置「ｄ」に切り換えられた場合は、空気が煙道５を通過するときに、加熱ユニット７と、タバコの燃焼シミュレーション要素と、音源１４と、動いている煙の流れの可視化要素１８が、電源８に接続される。
【００６７】
上記パイプは、以下の方法により使用される。シャンク２からステム３を分離し、両基端部が膜９で覆われることにより封止されると共に円筒状に形成されたニコチン含有剤や着香剤６のキャリアを、煙道５の空洞内に配置する。次いで、ステム３とシャンク２を接続し、この時点で開封要素１１により膜９が破られ、結果としてニコチン含有剤や着香剤が解放される。
【００６８】
次いで、使用者は、自分に最適なパイプ動作モードを選択する。モード「ａ」を選択した場合、使用者はただ、煙道５およびその中に位置するキャリア６を介して、空気を吸いながら、ニコチン蒸気を吸入する。
【００６９】
モード「ｂ」を選択した場合、空気が煙道５を通過するときに、加熱ユニット７とタバコの燃焼シミュレーション要素が作動する。使用者は、ニコチンまたは芳香蒸気で飽和されて電気ヒータ７の通過時に加熱される空気を、煙道５を介して吸入する。吸入された空気が通過するとき、タバコの燃焼シミュレーション要素は、ボウル１の空洞１３内でタバコ燃焼効果を生じさせる。吸入された空気の通過は空気移動センサ２１で読み取られる。
【００７０】
モード「ｃ」を選択した場合、使用者が煙道を介して空気を吸入して、吸入された空気が通過して、これが空気移動センサ２１で読み取られると、加熱ユニット７と、タバコの燃焼シミュレーション要素と、音源１４と、が作動する。加熱ユニット７の通過中に加熱されてキャリア６を通過しながらニコチンまたは芳香蒸気で飽和された空気を、使用者は煙道５を介して吸入する。タバコの燃焼シミュレーション要素および音源１４は、ボウル１の空洞１３内でタバコの燃焼効果を生じさせる。
【００７１】
モード「ｄ」を選択した場合、吸入された空気が通過するときに、使用者は加熱要素７と、タバコの燃焼シミュレーション要素と、音源１４と、煙の流れの可視化要素１８を作動させる。
【００７２】
全ての事例において、使用者は、追加の煙道１９への空気入口を開く、または部分的にもしくは完全に閉じることによって、パイプを通過する空気量を調整できるようになっている。
【００７３】
上記パイプを用いることにより、空気の加熱と独特の光および音の効果によって、喫煙の忠実なシミュレーションが可能になる。
【図１】
2011518638.tif 000003
【図２】
2011518638.tif 000004
【図３】
2011518638.tif 000005
【図４】
2011518638.tif 000006
【図５】
2011518638.tif 000007
【図６】
2011518638.tif 000008
【図７】
2011518638.tif 000009
【国際調査報告】
2011518638.tif 000010